(57)【要約】    【課題】簡単な構造で表示手段の表示を容易に確認でき、しかも組立て時等に際しての取り扱いも容易に行えるようにする。    【解決手段】遊技機本体１の前面に遊技球を貯留する貯留皿２６を備え、貯留皿２６の外側上面に配置された球貸し操作用の操作パネル３２の下側に、価値記録媒体Ｃの金額を表示する表示手段３５と、球貸し操作用の操作スイッチ３６，３７とが装着された操作基板３８を備える。表示手段３５及び操作基板３８は遊技者側に向けて前下り状に傾斜させて配置する。操作パネル３２は操作基板３８よりも小さい傾斜角度で傾斜する前下り状に傾斜し、表示手段３５はその上側の表示面３５ａが操作基板３８と略平行である。【選択図】図４
2010284359.tif 000002
【特許請求の範囲】
【請求項１】
遊技機本体（１）の前面に遊技球を貯留する貯留皿（２６）を備え、該貯留皿（２６）の外側上面に配置された球貸し操作用の操作パネル（３２）の下側に、価値記録媒体（Ｃ）の金額を表示する表示手段（３５）と、球貸し操作用の操作スイッチ（３６，３７）とが装着された操作基板（３８）を備えた遊技機において、前記表示手段（３５）及び前記操作基板（３８）を遊技者側に向けて前下り状に傾斜させて配置したことを特徴とする遊技機。
【請求項２】
前記操作パネル（３２）は前記操作基板（３８）よりも小さい傾斜角度で傾斜する前下り状に傾斜し、前記表示手段（３５）はその上側の表示面（３５ａ）が前記操作基板（３８）と略平行であることを特徴とする請求項１に記載の遊技機。
【請求項３】
前記操作パネル（３２）は前記操作スイッチ（３６，３７）に対応して下側へと突出する筒状の保持部（６７，６８）を有し、前記操作パネル（３２）の上側から前記操作スイッチ（３６，３７）を操作するための操作部材（４１，４２）を前記保持部（６７，６８）に上下摺動自在に嵌合したことを特徴とする請求項１又は２に記載の遊技機。
【請求項４】
前記保持部（６７，６８）は円筒状であり、前記操作部材（４１，４２）は前記操作スイッチ（３６，３７）の被操作面（３６ａ，３７ａ）に対応して傾斜する傾斜部（４１ｄ，４２ｄ）を下端に有し、該操作部材（４１，４２）と前記保持部（６７，６８）との間に、該操作部材（４１，４２）の縦軸心廻りの回転を阻止する廻り止め手段（７２，７３）を設けたことを特徴とする請求項３に記載の遊技機。
【請求項５】
前記貯留皿（２６）を外周側から覆う皿カバー（２９）内に配置された取り付け台（４８）と、前記皿カバー（２９）の上面に形成された開口部（４５）に下側から嵌合し且つ前記取り付け台（４８）上に固定された前記操作パネル（３２）とにより基板ケース（４９）を構成し、該基板ケース（４９）内に前記操作基板（３８）を収容したことを特徴とする請求項１〜４の何れかに記載の遊技機。
【発明の詳細な説明】
【技術分野】
【０００１】
本発明は、パチンコ機、アレンジボール機等の遊技機に関するものである。
【背景技術】
【０００２】
パチンコ機等の弾球遊技機には、発射手段に供給するための遊技球を貯留する貯留皿を遊技機本体の前面に装着し、この貯留皿の外側上面に球貸し操作用の操作パネルを設け、この操作パネルに、自動球貸し機のカード挿入口に挿入された遊技カードの金額を読み取って表示する表示手段と、自動球貸し機に球貸し指令を発する球貸しスイッチと、自動球貸し機に遊技カードの返却指令を出す返却スイッチとを配置した所謂ＣＲ機態様のものがある（特許文献１）。
【０００３】
従来は貯留皿の右前側に左右方向に長い長円状の操作パネルを設け、この操作パネルの左右方向の略中央に表示窓を、その左右両側に球貸し用及び返却用の操作部を夫々配置している。そして、操作パネルの下側に、この操作パネルと略平行に操作基板を配置し、この操作基板の上面に、表示窓に対応する表示手段と、各操作部に対応する球貸しスイッチ、返却スイッチとを設けている。
【０００４】
遊技者がゲームを行う際には、自動球貸し機のカード挿入口にカードを挿入すると、その遊技カードの金額が表示手段に表示される。そして、表示手段に表示された金額内で球貸しスイッチを操作すれば、自動球貸し機が球貸し指令に応じた数の遊技球を払い出し制御基板に送信して、この払い出し制御基板の制御により遊技機本体の裏側の球払い出し手段が遊技球を貯留皿へと払い出す。ゲームの終了時に際して返却スイッチを操作すれば、自動球貸し機のカード挿入口内の遊技カードを返却する。
【先行技術文献】
【特許文献】
【０００５】
【特許文献１】特開平８−２６６７３３号公報
【発明の概要】
【発明が解決しようとする課題】
【０００６】
従来の弾球遊技機では、操作パネルの下側に操作基板を略水平状に配置し、この操作基板にその上面に沿って表示手段を装着しているため、表示手段の上面側の表示面が操作基板と同様の略水平状になっている。このため遊技者が操作パネルの上方に顔を移動させる等すれば、表示手段の表示面に表示された金額を容易に読み取ることができる。
【０００７】
しかし、遊技者が顔の位置を変えずに操作パネルの前斜め上方から斜め下方向に向かって表示窓を見たときには、表示手段の表示面に対して斜め方向から見ることになり、表示手段の表示金額を読み取り難いという欠点がある。このため従来は表示手段の表示を見る都度、遊技者が見やすい方向に姿勢を変更する必要がある。
【０００８】
一方、操作基板に表示手段を装着するに当たって、操作基板に対して表示手段を傾斜状に装着することにより、操作基板を略水平に取り付けながら表示手段の表示金額を見やすくすることが考えられる。しかし、その場合には、表示手段の少なくとも一部が操作基板から浮いた状態となるため、組み立て工程で表示手段が他のものと接触すればその取り付け角度が簡単に変化する等の問題が生じ、取り扱いその他が煩雑になる欠点がある。
【０００９】
本発明は、このような従来の問題点に鑑み、簡単な構造で表示手段の表示を容易に確認でき、しかも組立て時等に際しての取り扱いも容易に行える遊技機を提供することを目的とする。
【課題を解決するための手段】
【００１０】
本発明は、遊技機本体１の前面に遊技球を貯留する貯留皿２６を備え、該貯留皿２６  の外側上面に配置された球貸し操作用の操作パネル３２の下側に、価値記録媒体Ｃの金額を表示する表示手段３５と、球貸し操作用の操作スイッチ３６，３７とが装着された操作基板３８を備えた遊技機において、前記表示手段３５及び前記操作基板３８を遊技者側に向けて前下り状に傾斜させて配置したものである。
【発明の効果】
【００１１】
本発明によれば、表示手段３５及び操作基板３８を遊技者側に向けて前下り状に傾斜させて配置しているので、簡単な構造で表示手段３５の表示を容易に確認でき、しかも組立て時等に際しての取り扱いも容易に行うことができる。
【図面の簡単な説明】
【００１２】
【図１】本発明の第１の実施形態を示すパチンコ機の全体斜視図である。
【図２】同パチンコ機の分解斜視図である。
【図３】同開閉扉、貯留皿等の斜視図である。
【図４】同開閉扉、貯留皿等の断面図である。
【図５】同操作パネル、操作基板、取り付け台等の分解斜視図である。
【図６】同操作パネル及び操作部材の分解斜視図である。
【図７】同操作パネル部分の拡大断面図である。
【図８】本発明の第２の実施形態を示す開閉扉、貯留皿等の断面図である。
【図９】本発明の第３の実施形態を示す開閉扉、貯留皿等の断面図である。
【図１０】本発明の第４の実施形態を示す開閉扉、貯留皿等の断面図である。
【図１１】本発明の第５の実施形態を示す開閉扉、貯留皿等の平面図である。
【図１２】同操作パネル部分の断面図である。
【図１３】同操作パネル部分の断面図である。
【発明を実施するための形態】
【００１３】
以下、本発明の実施形態を図面に基づいて詳述する。図１〜図７は本発明をパチンコ機に採用した第１の実施形態を例示する。図１、図２において、１は遊技機本体で、矩形状の外枠２と、この外枠２の前面側に着脱、開閉自在に枢着された前枠３とを備えている。
【００１４】
外枠２はその前面側の下端部に左右方向に配置された前下枠板４を有し、この前下枠板４上に前枠３が配置されている。前枠３は合成樹脂製であって、外枠２の前面側に当接する矩形状の枠部５と、この枠部５の内側上部に配置された遊技盤装着枠６と、この遊技盤装着枠６の下側で枠部５の内側下部に配置された下セット板７とを一体に備え、枠部５の左右一端側が上下複数個、例えば上下一対のヒンジ手段８により外枠２に着脱、開閉自在に枢着されている。遊技盤装着枠６には前側から遊技盤９が着脱自在に装着され、また下セット板７には左右の略中央に発射手段１０が装着され、その右側に下部スピーカ１１が配置されている。
【００１５】
前枠３には遊技盤９の前面側に配置されたガラス扉１３と、下セット板７の前面側に配置された開閉扉１４とが上下に近接して装着され、前枠３用のヒンジ手段８と同一側に配置された上下複数、例えば上下一対のヒンジ手段１５，１６により着脱、開閉自在に枢支されている。
【００１６】
遊技盤９の前面側には、発射手段１０から発射された遊技球を案内するガイドレール１７が環状に装着されると共に、そのガイドレール１７の内側の遊技領域９ａに画像表示手段、普通図柄始動手段、普通図柄表示手段、第１特別図柄始動手段、第２特別図柄始動手段、第１特別図柄表示手段、第２特別図柄表示手段、第１大入賞手段、第２大入賞手段、普通入賞手段等の各遊技部品（何れも図示省略）が配置されている。
【００１７】
ガラス扉１３は遊技盤９を前面側から覆う縦長矩形状であって、遊技盤９の遊技領域９ａを透視可能な窓孔を有する板金製の扉枠２０と、この扉枠２０の前側に装着された合成樹脂製の化粧カバー２１と、扉枠２０の裏側に装着されたガラスユニット２２とを備え、前枠３の前面側に閉じたときに、扉枠２０の外縁側が枠部５の前側に略当接し、ガラスユニット２２がその内側に嵌合する。ガラスユニット２２は前後二枚のガラス板を外周の保持枠で保持してなり、扉枠２０の裏側に着脱自在に装着されている。
【００１８】
開閉扉１４は下セット板７を前面側から覆う横長矩形状であって、支持板２４と、この支持板２４の前側に装着された合成樹脂製の化粧カバー２５とを備えている。この開閉扉１４の前面には発射手段１０に供給するための遊技球を貯留する貯留皿２６と、貯留皿２６の遊技球が満杯状態のときにその余剰球を貯留する貯留皿２７とが上下に配置されると共に、発射手段１０を作動させるための発射ハンドル２３がその右側に配置され、また裏側には発射手段１０の発射動作に連動して、貯留皿２６からの遊技球を１個ずつ発射手段１０へと送るための球送り手段２８が設けられている。
【００１９】
なお、前枠３は外枠２に対して、ガラス扉１３、開閉扉１４は前枠３に対して夫々閉状態で施錠手段（図示省略）により施錠可能である。ガラス扉１３、開閉扉１４は閉状態では前枠３に対して前面側から当接するようになっている。
【００２０】
貯留皿２６は遊技機本体１の裏側の球払い出し手段（図示省略）から払い出された遊技球を貯留するようになっている。この貯留皿２６は、図３、図４に示すように、開閉扉１４の前面に装着されると共に、皿カバー２９により外側が覆われている。皿カバー２９は貯留皿２６の上端外周側に平坦状に形成された上壁部３０と、この上壁部３０の外周端から下側に屈曲し且つ貯留皿２６を前側から覆う周壁部３１とを一体に備え、ネジ等の固定手段により開閉扉１４の支持板２４に固定されている。
【００２１】
皿カバー２９の上壁部３０は、図３に示すように、円弧状の内周縁３０ａと外周縁３０ｂとの間に設けられており、その内周縁３０ａと外周縁３０ｂとの間の幅が左前側から右側へと徐々に広くなっている。また皿カバー２９の上壁部３０は、左右方向の中央部から左右両端側にかけて徐々に高くなっている。そして、皿カバー２９の上壁部３０の右端側には前下り状に緩やかに傾斜する広幅部４６があり、その広幅部４６に球貸し操作用の操作パネル３２が配置されている。
【００２２】
なお、皿カバー２９の周壁部３１の左右略中央部には、図３に示すように、チャンスボタン等の操作部３３が設けられている。また貯留皿２７は外側が化粧カバー２５、皿カバー３４等により覆われており、貯留皿２６の下側で開閉扉１４に装着されている。
【００２３】
操作パネル３２の下側には、図４、図５に示すように、金額表示用の表示手段３５、球貸し指令用の球貸しスイッチ３６及び返却指令用の返却スイッチ３７を有する操作基板３８が配置されており、自動球貸し機Ａのカード挿入口Ｂに遊技カードＣを挿入したときに、表示手段３５により発光表示された遊技カードの金額が表示窓４０に現れ、球貸し指令用の球貸し操作部材４１を操作したときに球貸しスイッチ３６が、返却指令用の返却操作部材４２を操作したときに返却スイッチ３７が夫々動作するようになっている。
【００２４】
なお、操作パネル３２は表示手段３５が発光表示したときには表示窓４０を通して視認できるが、それ以外のときには内部が見え難くなるように、光透過性を有する黒色合成樹脂材等により、上面のパネル面４３側に表示窓４０が一体に設けられているが、表示窓４０は別材料により構成してもよい。
【００２５】
操作パネル３２は図４〜図７に示すように、上面に表示窓４０を含むパネル面４３が設けられた凸状の嵌合突部４４を有し、この嵌合突部４４はパネル面４３が皿カバー２９の上壁部３０から上側に若干突出するように、皿カバー２９の上壁部３０に形成された開口部４５に下側から嵌合している。パネル面４３には後部側に左右方向に表示窓４０が設けられ、その表示窓４０の前側に各操作部材４１，４２が配置されている。
【００２６】
操作基板３８は操作パネル３２の下側近傍に配置されており、遊技者が表示手段３５の表示面３５ａの表示を表示窓４０を通して容易に確認できるように、遊技者側に向けて前下り状に傾斜して設けられている。なお、表示手段３５は表示面３５ａ側が嵌合突部４４内に嵌合して表示窓４０の下側近傍に配置されている。
【００２７】
操作基板３８には、図４〜図７に示すように、その上面に沿って表示手段３５、球貸しスイッチ３６、返却スイッチ３７が装着されている。従って、表示手段３５の上面側の表示面３５ａ、各スイッチ３６，３７の被操作面３６ａ，３７ａは操作基板３８と略平行であり、操作パネル３２のパネル面４３に対して操作基板３８と略同一の傾斜角度で前下がり状に傾斜している。表示手段３５は矩形ブロック状の表示素子４７が左右方向に複数個配置されており、その複数個の表示素子４７で遊技カードＣの金額を数字で表示するようになっている。
【００２８】
操作パネル３２は、図４、図５に示すように、皿カバー２９内で操作パネル３２の下側に配置された取り付け台４８と共に基板ケース４９を構成し、その基板ケース４９内に操作基板３８が収容されている。基板ケース４９は操作パネル３２の周壁部３２ａと取り付け台４８の周壁部４８ａとの一部を上下に当接させて結合することにより構成されている。操作パネル３２はパネル面４３側が皿カバー２９の上壁部３０の開口部４５に下側から嵌合され、取り付け台４８が皿カバー２９の周壁部３１と支持板２４とに結合されている。
【００２９】
なお、操作パネル３２は複数個の取り付けボス５１を、取り付け台４８はその取り付けボス５１が嵌合する複数個の受け部５０を夫々有し、両者が嵌合した状態で取り付け台４８に下側から挿通されて取り付けボス５１に螺合するネジ５２により、操作パネル３２と取り付け台４８が上下に結合されている。
【００３０】
取り付け台４８は操作パネル３２、操作基板３８を下側から支持するためのもので、図４、図５に示すように、略水平状に形成された後部側の後水平部５３と、この後水平部５３の前端から前下りに傾斜する前部側の前傾斜部５４とを備えている。そして、この取り付け台４８には後水平部５３と前傾斜部５４とに跨がる前縁側に皿カバー２９の周壁部３１に沿って円弧状部５５が形成されると共に、円弧状部５５の前後両端に皿カバー２９用の取り付け部５６が、後水平部５３の後端に支持板２４用の取り付け部５７が設けられている。
【００３１】
取り付け部５６は、図５に示すように、取り付け台４８から下側に突出してＵ字状に形成され、その取り付け部５６に皿カバー２９の周壁部３１側の取り付けボス５８が前側から上下摺動自在に嵌合して、裏側から挿通されたネジ５９により取り付けボス５８に固定されている。また取り付け部５７は後方に突出する取り付けボスにより構成されており、この取り付け部５７は支持板２４に前側から当接し、裏側から支持板２４に挿通されたネジ５９により支持板２４に固定されている。
【００３２】
操作基板３８は、図４、図７に示すように、基板ケース４９内で操作パネル３２の傾斜角度よりも大きい角度で前下り状に傾斜し、位置決め突起６１と取り付けボス６２とを介して取り付け台４８側に固定されている。位置決め突起６１は操作基板３８の位置決め孔６３に嵌合し、取り付けボス６２には操作基板３８の取り付け孔６４に上側から挿通されたネジ６５が螺合する。なお、位置決め突起６１、取り付けボス６２は前傾斜部５４と後水平部５３との両方にあり、後水平部５３側の位置決め突起６１、取り付けボス６２が前傾斜部５４側の位置決め突起６１、取り付けボス６２よりも長くなっている。
【００３３】
操作パネル３２には、図４〜図７に示すように、操作基板３８側の各スイッチ３６，３７に対応して下側へと突出する円筒状の保持部６７，６８を有し、この保持部６７，６８に操作部材４１，４２が上下摺動自在に保持されている。
【００３４】
操作部材４１，４２は上部側が逆有底円筒状等の円形部４１ａ，４２ａと、円形部４１ａ，４２ａの下側外周に形成され且つ保持部６７，６８の下端に当接する抜け止め部４１ｂ，４２ｂと、円形部６９から下側に突出する突出部４１ｃ，４２ｃとを有し、突出部４１ｃ，４２ｃの下端にはスイッチ３６，３７の上端の被操作面３６ａ，３７ａに対応して傾斜する傾斜部４１ｄ，４２ｄが設けられている。操作部材４１，４２は操作パネル３２のパネル面４３により若干上側に突出している。
【００３５】
また操作部材４１，４２と保持部６７，６８との間には、図４〜図７に示すように、操作部材４１，４２の下端の傾斜部４１ｄ，４２ｄがスイッチ３６，３７の被操作面３６ａ，３７ａに面接触する状態で操作部材４１，４２の縦軸心廻りの回転を阻止する廻り止め手段７２，７３が設けられている。
【００３６】
この廻り止め手段７２，７３は抜け止め部４１ｂ，４２ｂに形成された周方向に１個又は複数個の切り欠き部４１ｅ，４２ｅと、保持部６７，６８の下端に形成され且つ切り欠き部４１ｅ，４２ｅに上下方向に摺動自在に係合する係合突起６７ａ，６８ａとにより構成されている。なお、操作部材４１，４２はスイッチ３６，３７内のバネ（図示省略）により上向きに付勢されている。
【００３７】
なお、自動球貸し機Ａはホールの島設備において、隣り合う遊技機本体１間に設けられている。
【００３８】
上記構成の弾球遊技機において、自動球貸し機Ａのカード挿入口Ｂに遊技カードＣを挿入すると、自動球貸し機Ａで読み取られた遊技カードＣの残額が表示手段３５により発光表示され、その金額が操作パネル３２の表示窓４０に現れる。
【００３９】
そして、表示窓４０に表示された金額内で球貸し操作部材４１を押圧すれば、この球貸し操作部材４１を介して球貸しスイッチ３６が働いて、遊技機本体１の裏側の払い出し手段（図示省略）により所定数の遊技球が貯留皿２６へと貸し出される。また遊技球の貸出数に応じて遊技カードＣの金額が減算され、その金額が表示手段３５により表示される。ゲームの終了時に返却操作部材４２を介して返却スイッチ３７を操作すれば、自動球貸し機Ａのカード挿入口Ｂから遊技カードＣが返却される。
【００４０】
この弾球遊技機では、表示手段３５が装着された操作基板３８を遊技者側に向けて前下り状に傾斜させているので、遊技者は表示手段３５の表示面３５ａに表示される金額を容易に確認することができ、従来のように金額を確認するために、その都度、遊技者が姿勢を変更するような煩わしさを解消できる。
【００４１】
また操作基板３８を遊技者に向けて前下り状に傾斜させているので、表示手段３５を操作基板３８に装着するに当たっては、その下面が操作基板３８に当接するように表示手段３５を固定すればよい。このため操作基板３８に対する表示手段３５の装着が容易である上に、表示手段３５を操作基板３８に装着した後の取り扱いが容易であり、組み立て等の作業能率が向上する利点がある。
【００４２】
操作パネル３２よりも大きな傾斜角度で前下り状に傾斜する操作基板３８には、その表示手段３５の手前側に球貸しスイッチ３６、返却スイッチ３７があるが、操作パネル３２から下側に突出する筒状の保持部６７，６８により上下摺動自在に保持された操作部材４１，４２を介して各スイッチ３６，３７を操作するようにしているため、スイッチ３６，３７を容易に操作することができる。
【００４３】
また操作部材４１，４２の下端に、スイッチ３６，３７の被操作面３６ａ，３７ａに当接する傾斜部４１ｄ，４２ｄを設ける一方、操作部材４１，４２と保持部６７，６８との間に廻り止め手段７２，７３を設けているので、操作部材４１，４２がスイッチ３６，３７の被操作面３６ａ，３７ａに対して面接触するなど、その接触面の面積を広く確保できることになり、スイッチ３６，３７の被操作面３６ａ，３７ａに対して操作部材４１，４２が点接触する場合に比較して、操作部材４１，４２により各スイッチ３６，３７を確実に操作することができる。
【００４４】
更に操作パネル３２、取り付け台４８により基板ケース４９を構成し、この基板ケース４９内に表示手段３５、各スイッチ３６，３７が装着された操作基板３８を収容しているので、その取り付け等も容易に行うことができる。
【００４５】
図８は本発明の第２の実施形態を例示する。この実施形態では、操作パネル３２にはそのパネル面４３よりも上側に突出して表示手段３５の表示面３５ａ、操作基板３８と略平行に傾斜する表示窓４０が設けられている。他の構成は第１の実施形態と同様である。
【００４６】
このように表示窓４０を表示手段３５の表示面３５ａと略平行に設けてもよい。従って、操作基板３８を遊技者側に向かって前下り状に傾斜させておけば、表示窓４０がパネル面４３に平行であるか表示面３５ａに平行であるかに関係なく表示手段３５の表示を容易に確認することが可能である。
【００４７】
図９は本発明の第３の実施形態を例示する。この実施形態では、操作パネル３２には外周の嵌合突部４４、その下側の周壁部３２ａ、及び筒状の保持部６７，６８がパネル面４３に対して略垂直方向に形成され、その嵌合突部４４が皿カバー２９の上壁部３０に形成された開口部４５に対して下側から略垂直に嵌合されている。操作部材４１，４２は保持部６７，６８によりパネル面４３に対して略垂直方向に摺動自在に保持されている。
【００４８】
その他、操作パネル３２側の取り付けボス５１、取り付け台４８側の周壁部４８ａ、位置決め突起６１、取り付けボス６２等も、同様にパネル面４３に対して略垂直に設けられている。
【００４９】
このように前下りに傾斜する皿カバー２９の上壁部３０に対して略垂直に操作パネル３２等を設けてもよい。
【００５０】
図１０は本発明の第４の実施形態を例示する。この実施形態では、操作基板３８は操作パネル３２の下側に取り付けボス７４、ネジ７５等を介して装着され、また操作パネル３２は皿カバー２９の上壁部３０の下側に取り付けボス７６、ネジ７７等を介して装着されている。
【００５１】
このように皿カバー２９の上壁部３０の下側に操作パネル３２を固定し、この操作パネル３２に操作基板３８を取り付けてもよい。なお、この実施形態では、嵌合突部４４、保持部６７，６８、取り付けボス７４等は、操作パネル３２のパネル面４３に対して略垂直になっているが、鉛直方向に設けてもよい。
【００５２】
図１１〜図１３は本発明の第５の実施形態を例示する。この実施形態では、操作パネル３２は貯留皿２６の球整列通路２６ａの前側で皿カバー２９の上壁部３０に略左右方向に配置されている。操作パネル３２は皿カバー２９の上壁部３０に若干前下りに傾斜して下側から固定されている。なお、操作パネル３２は皿カバー２９の上壁部３０に形成された開口部４５に嵌合して、上壁部３０側の複数個の取り付けボス７６にネジ７７により固定されている。
【００５３】
操作基板３８は操作パネル３２の下側に対応して略左右方向に配置され、操作パネル３２よりも大きい傾斜角度で遊技者側に向かって傾斜した状態で操作パネル３２の下側に固定されている。操作パネル３２のパネル面４３には、その左右方向の略中央に表示窓４０が、その左右両側に操作部材４１，４２が夫々配置されている。
【００５４】
操作基板３８には表示窓４０に対応して表示手段３５が、各操作部材４１，４２に対応して球貸しスイッチ３６、返却スイッチ３７が夫々装着されている。球整列通路２６ａは貯留皿２６内の遊技球を整列させながら球送り手段２８へと案内するためのものである。他の構成は各実施形態と同様である。
【００５５】
このように操作パネル３２、操作基板３８を略左右方向に配置する場合にも、操作基板３８を前下り状に傾斜させて配置することにより、表示手段３５の表示を容易に確認することができる。
【００５６】
以上、本発明の各実施形態について詳述したが、本発明は各実施形態に限定されるものではなく、趣旨を逸脱しない範囲で種々の変更が可能である。例えば、各実施形態では、皿カバー２９の上壁部３０と周壁部３１とを一体に構成しているが、上壁部３０と周壁部３１は別体構造でもよい。また皿カバー２９の上壁部３０、操作パネル３２は緩やかな傾斜角度で前下り状に傾斜するか、円弧状に湾曲しながら全体として前下り状に傾斜する構造の他、略水平状でもよい。
【００５７】
各実施形態では、操作パネル３２は皿カバー２９の上壁部３０とは別構造としているが、皿カバー２９の上壁部３０に一体に成形してもよい。また操作パネル３２は取り付け台４８を介して開閉扉１４の支持板２４と皿カバー２９の周壁部３１とに跨がって固定するか、皿カバー２９の上壁部３０の下面に取り付けて固定する他、別の支持部材を介して開閉扉１４及び／又は皿カバー２９に取り付けるようにしてもよい。
【００５８】
また皿カバー２９内の取り付け台４８を介して操作パネル３２を取り付ける場合にも、その取り付け台４８の上側に操作パネル３２を配置し、取り付け台４８の下側に操作基板３８を配置する等、操作パネル３２と取り付け台４８とで基板ケース４９を構成しない構造を採用してもよい。
【００５９】
表示手段３５は７セグメント式の表示素子４７を複数個配置して構成するのが一般的であるが、他の表示素子４７により構成してもよい。球貸しスイッチ３６、返却スイッチ３７は上側に被操作面３６ａ，３７ａを有する可動型のスイッチの他、被接触式の静止片スイッチでもよい。
【００６０】
保持部６７，６８は円筒状以外の形状、例えば長円筒状、角筒状等でもよい。保持部６７，６８が長円筒状、角筒状等の場合に、操作部材４１，４２をその保持部６７，６８の断面形状に対応する形状にすれば、保持部６７，６８に操作部材４１，４２を嵌合することにより、操作部材４１，４２の廻り止め手段７２，７３を構成することができる。従って、廻り止め手段７２，７３は実施形態に例示する構造以外のものでもよい。
【００６１】
価値記録媒体として遊技カードＣを例示しているが、金額を特定可能な情報が記録されたものであれば、遊技カードＣ以外の記録媒体でもよい。他の記録媒体を使用する場合には、自動球貸し機Ａは記録媒体の種類によってはその記録媒体を挿入しない構成のでもよい。
【００６２】
球貸し操作用の操作スイッチとして球貸しスイッチ３６、返却スイッチ３７を例示しているが、これら以外に他のスイッチを設けてもよい。例えば、記録媒体を挿入しない形式の自動球貸し機Ａの場合には返却スイッチ３７が不要となる等、自動球貸し機Ａの形式との関係で操作パネル３２には別のスイッチを設けてもよい。
【００６３】
また本発明はパチンコ機、アレンジボール機等の弾球遊技機に限らず、貯留皿２６の遊技球を使用してゲームを行う遊技機であれば、例えば１ゲーム毎に貯留皿２６の所定数の遊技球を回収しながら図柄合わせゲームを行うスロットマシン等にも広く採用可能である。
【符号の説明】
【００６４】
１  遊技機本体
１０  発射手段
２６  貯留皿
２９  皿カバー
３２  操作パネル
３５  表示手段
３５ａ  表示面
３６  球貸しスイッチ（操作スイッチ）
３７  返却スイッチ（操作スイッチ）
３６ａ，３７ａ  被操作面
３８  操作基板
４１，４２  操作部材
４１ｄ，４２ｄ  傾斜部
４５  開口部
４８  取り付け台
４９  基板ケース
６７，６８  保持部
７２，７３  廻り止め手段
【図１】
2010284359.tif 000003
【図２】
2010284359.tif 000004
【図３】
2010284359.tif 000005
【図４】
2010284359.tif 000006
【図５】
2010284359.tif 000007
【図６】
2010284359.tif 000008
【図７】
2010284359.tif 000009
【図８】
2010284359.tif 000010
【図９】
2010284359.tif 000011
【図１０】
2010284359.tif 000012
【図１１】
2010284359.tif 000013
【図１２】
2010284359.tif 000014
【図１３】
2010284359.tif 000015